(57)【要約】【課題】システムの利用者が楽しみながら積極的に節電を行うことができ、その結果継続的に節電を行うことができる消費電力量管理システムを提供すること。【解決手段】管理対象の節約電力量に基づきキャラクタＣＨのパラメータが更新され、更新されたパラメータに基づきキャラクタＣＨの表示制御が行われる。例えば、節約電力量が多い場合には、キャラクタＣＨがたくましく成長していくように表示制御したり、節約電力量が少ない場合には、キャラクタＣＨの成長が滞るように表示制御する。【選択図】図４
2007272268.tif 000002
【特許請求の範囲】
【請求項１】
消費電力量管理システムであって、
管理対象の基準消費電力量情報を設定する基準消費電力量設定部と、
前記管理対象の消費電力量情報を取得する消費電力量取得部と、
前記設定された基準消費電力量情報と前記取得された消費電力量情報とに基づき、節約電力量情報を演算する節約電力量演算部と、
前記演算された節約電力量情報と所与のキャラクタを表示部に表示させる表示制御部と、
前記キャラクタのパラメータを設定するパラメータ設定部と、
を含み、
前記パラメータ設定部が、
前記演算された節約電力量情報に基づき、前記キャラクタのパラメータを更新し、
前記表示制御部が、
前記更新されたパラメータに基づき、前記キャラクタの表示制御を行うことを特徴とする消費電力量管理システム。
【請求項２】
請求項１において、
前記節約電力量情報に基づき、所与のポイント演算を行うポイント演算部を更に含み、
前記表示制御部が、
前記演算されたポイントに基づき、ポイント表示の表示制御を行うことを特徴とする消費電力量管理システム。
【請求項３】
請求項１、２のいずれかにおいて、
電力使用料金情報を取得する電力使用料金情報取得部と、
前記節約電力量情報と前記電力使用料金情報とに基づいて、節約電力量の金額情報を演算する金額演算部と、
を更に含み、
前記表示制御部が、
前記演算された節約電気量金額情報に基づき、節約電気量金額表示の表示制御を行うことを特徴とする消費電力量管理システム。
【請求項４】
請求項１〜３のいずれかにおいて、
人力により発電を行う発電部と、
前記発電部の発電電力量情報を取得する発電電力量取得部と、
を更に含み、
前記パラメータ設定部が、
前記取得した発電電力量情報に基づき前記キャラクタのパラメータを更新することを特徴とする消費電力量管理システム。
【発明の詳細な説明】
【技術分野】
【０００１】
本発明は、消費電力量管理システムに関する。
【背景技術】
【０００２】
近年、我が国においても環境保全の意識が高まっており、消費電力量が少ない電気製品の購入や、節電が推奨されている。そして、節電を実行させるためのシステムとして、例えば特開２００５−３１２１４２号公報に開示される従来技術がある。
【０００３】
しかしながら従来のシステムでは、使用電力量が基準量を超えると管理者に通知する或いは警告するというものであった。従って従来のシステムでは、節電を強いられているという精神状況をシステムの利用者に与えてしまい、システムの利用者が楽しみながら積極的に節電に協力することができないという問題があった。
【特許文献１】特開２００５−３１２１４２号公報
【発明の開示】
【発明が解決しようとする課題】
【０００４】
本発明は、以上のような課題に鑑みてなされたものであり、その目的とするところは、システムの利用者が楽しみながら積極的に節電を行うことができ、その結果継続的に節電を行うことができる消費電力量管理システムを提供することにある。
【課題を解決するための手段】
【０００５】
（１）本発明は、消費電力管理システムであって、
管理対象の基準消費電力量情報を設定する基準消費電力量設定部と、
前記管理対象の消費電力量情報を取得する消費電力量取得部と、
前記設定された基準消費電力量情報と前記取得された消費電力量情報とに基づき、節約電力量情報を演算する節約電力量演算部と、
前記演算された節約電力量情報と所与のキャラクタを表示部に表示させる表示制御部と、
前記キャラクタのパラメータを設定するパラメータ設定部と、
を含み、
前記パラメータ設定部が、
前記演算された節約電力量情報に基づき、前記キャラクタのパラメータを更新し、
前記表示制御部が、
前記更新されたパラメータに基づき、前記キャラクタの表示制御を行うことを特徴とする消費電力量管理システムに関係する。
【０００６】
本発明によれば、管理対象の節約電力量に基づきキャラクタのパラメータが更新され、更新されたパラメータに基づきキャラクタの表示制御が行われる。例えば、節約電力量が多い場合には、キャラクタがたくましく成長していくように表示制御したり、節約電力量が少ない場合には、キャラクタの成長が滞るように表示制御することができる。また、消費電力量が基準消費電力量を超えてしまう場合には、キャラクタが病気になってしまうように表示制御することができる。
【０００７】
このように、本発明によれば、人々が電力消費によって間接的に環境に与えている影響を、節約電力量に直接的に影響されて変化するキャラクタにより、わかりやすく表現することができる。即ち、電力消費による環境に対する影響は目に見えるものではないが、節約電力量に応じてキャラクタの表示を変化させることにより、電力消費による環境に対する影響をシステムの利用者に大いに意識させることができる。従って、本発明によれば、節約電力量に応じたキャラクタの変化を動機付けとして、システムの利用者を楽しませながら積極的に節電を行わせることができ、その結果、継続的に節電を行わせることができる。
【０００８】
（２）また本発明に係る消費電力量管理システムでは、
前記節約電力量情報に基づき、所与のポイント演算を行うポイント演算部を更に含み、
前記表示制御部が、
前記演算されたポイントに基づき、ポイント表示の表示制御を行うようにしてもよい。
【０００９】
本発明によれば、節約電力量に応じたキャラクタの表示に加え、節約電力量に応じたポイント表示を行う。従って、本発明によれば、節電に関する明確な指標を表示することにより、利用者に対してより一層効果的に節電に対する動機付けを与えることができる。
【００１０】
（３）また本発明に係る消費電力量管理システムでは、
電力使用料金情報を取得する電力使用料金情報取得部と、
前記節約電力量情報と前記電力使用料金情報とに基づいて、節約電力量の金額情報を演算する金額演算部と、
を更に含み、
前記表示制御部が、
前記演算された節約電気量金額情報に基づき、節約電気量金額表示の表示制御を行うようにしてもよい。
【００１１】
本発明によれば、節約電力量に応じたキャラクタの表示に加え、節約電力量に応じた節約電力量金額の表示を行う。従って、本発明によれば、節電に関する明確な結果を表示することにより、利用者に対してより一層効果的に節電に対する動機付けを与えることができる。
【００１２】
（４）また本発明に係る消費電力量管理システムでは、
人力により発電を行う発電部と、
前記発電部の発電電力量情報を取得する発電電力量取得部と、
を更に含み、
前記パラメータ設定部が、
前記取得した発電電力量情報に基づき前記キャラクタのパラメータを更新するようにしてもよい。
【００１３】
本発明によれば、節約電力量に加え、発電電力量に応じてキャラクタのパラメータを更新する。従って、本発明によれば、システム利用者に節電だけでなく発電に対する動機付けをも与えることができる。
【発明を実施するための最良の形態】
【００１４】
以下、本実施形態について説明する。なお、以下に説明する本実施形態は、特許請求の範囲に記載された本発明の内容を不当に限定するものではない。また、本実施形態で説明される構成の全てが本発明の必須構成要件であるとは限らない。
【００１５】
１．概略
図１に本実施形態の消費電力量管理システムの概略を示す。本実施形態の消費電力量管理システム１０はその管理対象を、家庭に供給される電力の消費量としている。図１に示すように、家庭において電化製品を使用すると、引込み線１１から電力が供給され、電力量計１２で供給電力量を消費電力量として検出する。すると供給された電力は、分電盤１４で屋内配線系統１６、１８に分電され、各電化製品２０で消費される。そして、本実施形態では、検出された消費電力量をシステム１０の処理端末２２に送出し、処理端末２２の表示部２４に管理情報を表示させる。
【００１６】
２．構成
図２に本実施形態の消費電力量管理システム１０の機能ブロック図の例を示す。なお本実施形態の消費電力量管理システム１０は図２の構成要素（各部）の一部を省略した構成としてもよい。
【００１７】
電力量センサ１５０は、家庭や事業所などの電力量計１２や分電盤（ブレーカ）１４に設けられ、管理対象とする配線系統１６、１８や電化製品２０の消費電力量情報を検出するためのものである。例えば、消費された電力を変圧器、変流器、乗算回路で変換し、積分回路、分周回路で電力量に比例したパルスを発生させてパルス数をカウントすることにより消費電力量情報を検出することができる。なお、電力会社が管理する電力量計１２を電力量センサ１５０としてそのまま用いてもよい。
【００１８】
そして、本実施形態では、検出された消費電力量情報は、ＵＳＢコネクタやＩＥＥＥ１３９４コネクタなどの高速シリアルコネクタや、ＢｌｕｅｔｏｏｔｈやＩＥＥＥ８０２．１１規格に準拠した無線ＬＡＮ方式等により処理部１００に送出される。また、管理対象とする電化製品２０をＬＡＮで接続して、それぞれの電化製品についての消費電力量を検出して処理部１００に送出するようにしてもよい。
【００１９】
入力部１６０は、使用者が操作情報や設定情報などの入力情報を入力するためのものである。その機能は、例えばボタン、レバー、キーボード、マウスの他、入力部と表示部の両方の機能を有するタッチパネル型表示部（パネルに画像が表示されると共に、指やペンで画面を触れたり押すことで情報を入力できる装置）により実現できる。
【００２０】
記憶部１７０は、処理部１００や通信部１９６などのワーク領域となるもので、その機能はＲＡＭなどのハードウェアにより実現できる。
【００２１】
情報記憶媒体１８０（コンピュータにより読み取り可能な媒体）は、プログラムやデータなどを格納するものであり、その機能は、メモリ（ＲＯＭ）などのハードウェアにより実現できる。処理部１００は、この情報記憶媒体１８０に格納されるプログラム（データ）に基づいて本実施形態の種々の処理を行う。即ち情報記憶媒体１８０には、本実施形態の各部としてコンピュータを機能させるためのプログラム（各部をコンピュータに実現させるためのプログラム）が記憶（記録、格納）される。
【００２２】
表示部１９０（表示部２４）は、キャラクタ画像や文字画像等の種々の画像を表示出力するものであり、その機能はＣＲＴディスプレイ、液晶ディスプレイ、プラズマディスプレイ、有機ＥＬディスプレイ、或いは操作部と表示部の両方の機能を有するタッチパネル型表示部により実現できる。
【００２３】
通信部１９６は、コネクタや無線ＬＡＮ、インターネット等のネットワークを介して、外部装置やホスト（サーバ）との間で通信を行うための各種の制御を行うものであり、その機能は、各種プロセッサ又は通信用ＡＳＩＣなどのハードウェアや、プログラムなどにより実現できる。
【００２４】
発電部１９８は、人力によりモータ等を駆動して発電、蓄電、送電等を行うものである。具体的には、人がペダルを踏むことによりモータを駆動して発電するエアロバイク等により実現することができる。そして、発電部１９８は、発電した電力を蓄電、送電して、他の電気製品２０に供給する。また、発電部１９８は、発電電力量を検出し、発電電力量情報をコネクタや無線ＬＡＮ等を介して処理部１００に送出する。
【００２５】
なお本実施形態の各部としてコンピュータを機能させるためのプログラム（データ）は、ホスト（サーバー）が有する情報記憶媒体からネットワーク（広域ネットワーク、インターネット）及び通信部１９６を介して情報記憶媒体１８０（記憶部１７０）に配信するようにしてもよい。このようなホスト（サーバー）の情報記憶媒体の使用も本発明の範囲内に含まれる。
【００２６】
処理部１００（プロセッサ）は、入力部１６０からの入力データやプログラムなどに基づいて、各種情報の取得処理、送出処理等の各種情報処理、表示制御処理、演算処理などの各種の処理を行う。この場合、処理部１００は、記憶部１７０内の主記憶部をワーク領域として使用して、各種の処理を行う。この処理部１００の機能は、各種プロセッサ（ＣＰＵ、ＤＳＰ等）又はＡＳＩＣ（ゲートアレイ等）などのハードウェアや、プログラム（ゲームプログラム）により実現できる。
【００２７】
処理部１００は、取得情報処理部１０２、基準消費電力量設定部１０４、演算部１０６、表示制御部１０８、パラメータ設定部１１０、タイマ部１１２、通信制御部１１４を含む。なお、処理部１００は、これらの各部（機能ブロック）を全て含む必要はなく、その一部を省略してもよい。
【００２８】
取得情報処理部１０２は、入力部１６０からの入力データ、外部端末からのデータや制御信号、記憶部１７０のプログラムなどに基づいて、各種情報を取得して記憶部１７０に記憶させたり、通信部１９６を介して外部端末、ホスト（サーバ）に情報を送出するための処理を行う。
【００２９】
特に本実施形態では、取得情報処理部１０２は、電力量センサ１５０から消費電力量情報を取得する消費電力量取得部として機能する。本実施形態では、１日ごとにその日あたりの消費電力量情報を取得する。また、取得情報処理部１０２は、発電部１９８から発電電力量情報を取得する発電電力量取得部として機能する。本実施形態では、１日ごとにその日あたりの発電電力量情報を取得する。また、取得情報処理部１０２は、ＷＷＷを介して電力会社（電力供給事業者）のホスト（サーバ）から電力使用料金情報を取得する電力使用料金取得部として機能する。本実施形態では、１カ月ごとにその月の電力使用料金体系を取得する。そして、取得情報処理部１０２は、取得した各種取得情報を記憶部１７０に格納する。
【００３０】
基準消費電力量設定部１０４は、節約電力量情報を算出するための基準となる基準消費電力量情報を設定する。具体的には、予め用意された一般的な家庭における１ヶ月の消費電力量情報を設定するようにしてもよいし、入力部１６０からの入力に基づいて消費電力量情報を設定するようにしてもよい。また、取得情報処理部１０２が取得した前月分の消費電力量情報や、前年同月分の消費電力量情報、過去数か月分の消費電力量情報の平均値等に基づいて消費電力量情報を設定するようにしてもよい。
【００３１】
演算部１０６は、設定された基準消費電力量情報と取得された消費電力量情報とに基づき、節約電力量情報を演算する節約電力量演算部として機能する。本実施形態では、１日あたりの基準消費電力量情報と、その日の消費電力量情報とを比較して、その日１日当たりの節約電力量情報を演算する。ここで、その日の消費電力量が１日あたりの基準消費電力量よりも少ない場合には、節約電力量情報はプラスの値になるが、その日の消費電力量が１日あたりの基準消費電力量よりも多い場合には、節約電力量情報はマイナスの値になる。そして、本実施形態では、１日ごとに節約電力量情報を加算して累積節約電力情報を算出し、１カ月単位で節約電力量情報を集計する。
【００３２】
また、演算部１０６は、設定された基準消費電力量情報と取得された消費電力量情報と発電電力量情報とに基づき、節約電力量情報を演算するようにしてもよい。
【００３３】
また、演算部１０６は、節約電力量情報に基づき、所与のポイント演算を行うポイント演算部として機能する。本実施形態では、その日の節約電力量情報に基づき、節約電力量情報の演算と同様に、その日１日当たりのポイントを演算して累積ポイントを算出し、１カ月単位でポイントを集計する。本実施形態では、節約電力量１０ｗｈを１ポイントとして演算する。
【００３４】
また、演算部１０６は、節約電力量情報と電力使用料金情報とに基づいて、節約電力量の金額情報を演算する金額演算部として機能する。本実施形態では、その月の節約電力量情報とその月の電力使用料金情報とに基づき、その月１カ月当たりの節約電力量の金額情報を演算する。
【００３５】
表示制御部１０８は、入力部１６０からの入力データ、記憶部１７０の各種取得データ、プログラム、画像データなどに基づいて、表示部１９０に表示させる画像の表示制御を行う。具体的には、演算された節約電力量情報を表示部１９０に表示させる処理を行う。また、キャラクタを移動・動作させるためのアニメーションデータやアルゴリズムデータ等を、当該キャラクタのパラメータに基づいて選択し、選択したアニメーションデータやアルゴリズムデータ等に基づいて、キャラクタの表示制御を行う。ここで、画像データや文章データ等は、情報記憶媒体１８０に記憶させておいてもよいし、外部記憶媒体からダウンロードして記憶部１７０に記憶するようにしてもよい。
【００３６】
パラメータ設定部１１０は、入力部１６０からの入力データ、各種取得情報、外部端末からのデータや制御信号、記憶部１７０のプログラムなどに基づいて、キャラクタのパラメータを設定する。特に、パラメータ設定部１１０は、演算された節約電力量情報に基づいて、キャラクタのパラメータを更新する。本実施形態では、パラメータ設定部１１０は、その日１日の節約電力量情報に基づいて、１日１回キャラクタのパラメータを更新する。
【００３７】
また、パラメータ設定部１１０は、取得した発電電力量情報に基づいてキャラクタのパラメータを更新するようにしてもよい。この場合、演算部１０６が基準消費電力量情報と消費電力量情報とに基づき演算した節約電力量情報と取得した発電電力量情報に基づいてキャラクタのパラメータを更新するようにしてもよいし、演算部１０６が基準消費電力量情報と消費電力量情報と発電電力量情報とに基づき演算した節約電力量情報に基づいてキャラクタのパラメータを更新するようにしてもよい。
【００３８】
なお、表示制御部１０８は、キャラクタのパラメータが更新されると、更新後のパラメータに基づいてキャラクタを移動・動作させるためのアニメーションデータやアルゴリズムデータ等を選択し、選択したアニメーションデータやアルゴリズムデータ等に基づいてキャラクタの表示制御を行う。従って、演算された節約電力量情報に基づいてキャラクタのパラメータが更新されると、節約電力量情報に応じたキャラクタの表示制御を行うことができる。
【００３９】
タイマ部１１２は、時間を計時（カウント）する処理を行う。例えば、フレーム（１／６０秒、１／３０秒）更新のタイミングでカウント値（カウント値の変数）をカウントアップすることで時間を計時する。或いは、システムが有するリアルタイムクロックのタイマを用いて時間を計時してもよい。
【００４０】
通信制御部１１４は、外部装置に送信するデータ（パケット）を生成する処理、データ送信先のネットワークアドレスを指定する処理、受信したデータを記憶部１７０に保存する処理、受信したデータを解析する処理、その他のデータの送受信に関する通信部１９６の制御処理等を行う。特に本実施形態では、通信制御部１１４は、コネクタや無線ＬＡＮを介した電力量センサ１５０との通信の制御処理や、ＷＷＷを介した電力会社のホストコンピュータ（サーバ）との通信の制御処理を行う。
【００４１】
３．処理の流れ
図３に、本実施形態の処理の流れの一例を示す。まずステップＳ１０において、入力部１６０からの入力信号に基づき基準消費電力量を受付け、節約電力量情報を算出するための基準となる基準消費電力量情報を設定する。本実施形態では、毎月１回、システム利用者に当該月の消費電力量の目標値を入力させ、その目標値を基準消費電力量情報として設定する。
【００４２】
そして、ステップＳ１２において、タイマ値が所定値に達したか否か判断する。本実施形態では２４時間のタイマ値をカウントする。そして、２４時間即ち１日が経過した場合には（ステップＳ１２のＹ）、ステップＳ１４において、電力量センサ１５０から消費電力量情報を取得する。
【００４３】
すると、ステップＳ１６において、設定された１日あたりの基準消費電力量情報と取得されたその日の消費電力量情報とに基づき、その日１日の節約電力量情報を演算し、初期値０に加算して累計節約電力量情報とする。
【００４４】
すると、ステップＳ１８において、累計節約電力量情報に基づいて、キャラクタのパラメータを更新し、ポイント演算を行う。そして、ステップＳ２０において、更新されたパラメータに基づいて、キャラクタとポイント表示の表示制御を行う。
【００４５】
図４は、このとき表示される表示部１９０の画面例である。図４は、１日目が終わった段階で節約電力量情報がプラスであった場合の例である。この場合、図４に示すように、地球を表すキャラクタＣＨの頭に植物の芽が生えてきた画像と、その日１日あたりの節約電力量ＥＭと、節約電力量の料金ＥＣと、ポイントＥＰと、を表示させる。
【００４６】
すると、ステップＳ２２において、１ヶ月経過したか否か判断し、１ヶ月経過していない場合には（ステップＳ２２のＮ）、ステップＳ１２〜ステップＳ２０までの処理を繰り返す。
【００４７】
図５は、１ヶ月が終わった段階で累計節約電力量情報がプラス２０ｋｗｈであった場合の画面例である。この場合、図５に示すように、地球を表すキャラクタＣＨの頭の植物が生長して木になった画像と、その月の節約電力量ＥＭと、節約電力量の料金ＥＣと、ポイントＥＰを表示させる。このように、本実施形態では、累計節約電力量情報が増加するにつれて、キャラクタＣＨの頭の植物が次第に成長していくように表示制御される。
【００４８】
一方、ある１日の節約電力量情報がマイナスであった場合には、植物の成長が止まる、或いは一旦成長した植物が枯れていくように表示制御される。また、図６は、１ヶ月が終わった段階で累計節約電力量情報がマイナス２０ｋｗｈであった場合の画面例である。この場合、図６に示すように、地球を表すキャラクタＣＨの頭の植物が枯れ果てて砂漠になった画像と、節約電力量ＥＭと、節約電力量の料金ＥＣと、ポイントＥＰを表示させる。
【００４９】
こうして、本実施形態では、１カ月経過するまで１日ごとに節約電力量情報を演算して前日までの節約電力量情報に加算していき、累積節約電力量情報を算出する。そして、累積節約電力量情報に基づいてキャラクタのパラメータを更新し、ポイント演算を行って、キャラクタＣＨとポイント表示ＥＰの表示制御を行う。
【００５０】
このように、本実施形態によれば、人々が電力消費によって間接的に環境に与えている影響を、節約電力量に直接的に影響されて変化するキャラクタＣＨにより、わかりやすく表現することができる。従って、本発明によれば、節約電力量に応じたキャラクタの変化を動機付けとして、システムの利用者を楽しませながら積極的に節電を行わせることができ、その結果、継続的に節電を行わせることができる。
【００５１】
そして、ステップＳ２２において、１ヶ月経過したと判断すると（ステップＳ２２のＹ）、ステップＳ２４において、ＷＷＷを介して電力会社（電力供給事業者）のホスト（サーバ）から、その月の電力使用料金体系情報を取得する。そして、ステップＳ２６において、その月の節約電力量情報とその月の電力使用料金情報とに基づき、その月１ヶ月当たりの節約電力量の金額情報を演算する。
【００５２】
そして、ステップＳ２８において、表示部１９０にその月の節約電力量の金額表示を表示させる。図７は、このとき表示される表示部１９０の画面例である。本実施形態では、その月の基準消費電力量表示ＳＭとその金額表示ＳＣ、その月の消費電力量表示ＣＭとその金額表示ＣＣ、その月の節約電力量表示ＥＭとその金額表示ＥＣを表示させる。
【００５３】
更に、本実施形態では、その月の電気料金の精算方法を選択させる選択表示（チェックボックス）ＣＢを表示させる。本実施形態では精算方法として、消費電力量の金額で精算するチェックボックスＣＢ１と、節約電力量の金額を募金して精算するチェックボックスＣＢ２と、節約電力量の金額を貯金して精算するチェックボックスＣＢ３とを表示させる。
【００５４】
そして、図７に示すように、使用者がチェックボックスＣＢ２を選択して、送信ボタン表示ＳＢをクリックすると、ステップＳ３０において、節約電力量の金額を募金して精算する要求を、ＷＷＷを介して電力会社のホストコンピュータ（サーバ）に送信する。すると、電力会社では、システム利用者に対して基準消費電力量の金額で電気使用料金の請求を行い、支払われた電気使用料金のうち節約電力量の金額を、環境保全事業のための募金として精算する。
【００５５】
このように、本実施形態によれば、節約電力量に応じたキャラクタＣＨの表示に加え、節約電力量に応じた節約電力量金額の表示ＥＣを行う。従って、本実施形態によれば、節電に関する明確な結果を表示することにより、利用者に対してより一層効果的に節電に対する動機付けを与えることができる。しかも、本実施形態によれば、節約電力量金額を電力会社を介して募金等することができるシステムを構築することができる。従って、本実施形態によれば、節電を通じて積極的に環境保全に貢献することができるので、利用者に対して更に効果的に節電に対する動機付けを与えることができる。
【００５６】
なお本発明は、上記実施形態で説明したものに限らず、種々の変形実施が可能である。例えば、消費電力量情報等の各種情報の取得、演算、パラメータの更新等の各種処理を行うタイミング、頻度は上記実施形態で説明したものに限らない。
【００５７】
また、本発明のシステムは、本実施形態は処理部１００の各機能を有する専用端末により実現してもよいし、汎用のパーソナルコンピュータ等の汎用端末を処理部１００の各部として機能させるプログラムをインストールして汎用端末により実現してもよい。また、電力会社等のホストコンピュータやサーバを処理部１００の各部として機能させ、利用者の汎用端末からインターネット等のネットワークを介して当該サーバ等にアクセスさせるシステムにより実現してもよい。
【００５８】
また、節約電力量情報やキャラクタ等を表示させる表示部は任意の場所に設置することができ、例えば消費電力量を検出する電力量計に表示部を設けるようにしてもよい。この場合には、本発明の消費電力量管理システムを電力量計と一体的に構成してもよい。
【００５９】
また、表示部にキャラクタを表示させ、入力部からの操作情報とプログラムに基づいてゲームを実行するようにしてもよい。この場合には、消費電力量情報、節約電力量情報、発電電力量情報、及びこれら各種情報の任意の組合せに基づいて、キャラクタのゲームパラメータを更新するようにしてもよい。
【００６０】
例えば本発明のシステムにおいて育成ゲームを実行し、各種取得情報に基づいてキャラクタの各種パラメータを更新する。例えば消費電力量が基準消費電力量を上回っていると、キャラクタＣＨの病気パラメータを更新して、キャラクタＣＨが病気になってしまうように表示させる。また、消費電力量が基準消費電力量を下回っていると、キャラクタＣＨのたくましさパラメータを更新して、キャラクタＣＨがたくましく成長するように表示させる。
【００６１】
また本発明のシステムにおいてロールプレイングゲームを実行し、各種取得情報に基づいてキャラクタの各種パラメータを更新する。例えば節約電力量が多くなるにつれ、キャラクタＣＨの経験値パラメータを更新する。そして節約電力量が多くなるにつれ、ゲーム上に登場する強い敵を倒せるようになったり、節約電力量が少ない場合には入れなかったダンジョンを探検できるようにしてもよい。また、節約電力量の料金に基づいて、キャラクタが持つゲーム上の所持金を変化させるようにしてもよい。
【図面の簡単な説明】
【００６２】
【図１】本実施形態のシステムの概略説明図。
【図２】本実施形態のシステムの機能ブロック図。
【図３】本実施形態の処理例を示すフローチャート。
【図４】本実施形態の表示部に表示される画面例。
【図５】本実施形態の表示部に表示される画面例。
【図６】本実施形態の表示部に表示される画面例。
【図７】本実施形態の表示部に表示される画面例。
【符号の説明】
【００６３】
ＣＨ  キャラクタ、ＥＰ  ポイント表示、
ＳＭ  基準消費電力量表示、ＳＣ  基準消費電力量の金額表示
ＣＭ  消費電力量表示、ＣＣ  消費電力量の金額表示
ＥＭ  節約電力量表示、ＥＣ  節約電力量の金額表示
ＣＢ  選択表示、  １００  処理部、１０２  取得情報処理部、１０４  基準消費電力量設定部、１０６  演算部、１０８  表示制御部、１１０  パラメータ設定部、１１２  タイマ部、１１４  通信制御部、  １５０  電力量センサ、１６０  入力部、
１７０  記憶部、１８０  情報記憶媒体、  １９０  表示部、１９６  通信部、１９８  発電部
【図１】
2007272268.tif 000003
【図２】
2007272268.tif 000004
【図３】
2007272268.tif 000005
【図４】
2007272268.tif 000006
【図５】
2007272268.tif 000007
【図６】
2007272268.tif 000008
【図７】
2007272268.tif 000009